(57)【要約】【課題】  無線通信インターフェースを変更して画像データの通信を実行した後に、適切な処理を実行し得る技術を提供すること。【解決手段】  携帯端末５０は、ＮＦＣ接続を利用して、プリンタ１０から無線設定値ＷＳ１を受信する（Ｔ３２）。携帯端末５０は、無線設定値ＷＳ１を利用して、プリンタ１０とＷｉ−Ｆｉ接続を確立し（Ｔ４４）、Ｗｉ−Ｆｉ接続を利用して、画像データをプリンタ１０に送信する（Ｔ５０）。携帯端末５０は、選択画面を表示し（Ｔ６０）、ユーザによって「切断」が選択される場合に、Ｗｉ−Ｆｉ接続を切断する（Ｔ７２）。一方において、携帯端末５０は、ユーザによって「継続」が選択される場合に、Ｗｉ−Ｆｉ接続を利用して、画像データをプリンタ１０に送信する（Ｔ８０）。【選択図】図４
2015130637.tif 000002
【特許請求の範囲】
【請求項１】
通信機器であって、
第１の無線通信インターフェースと、
前記第１の無線通信インターフェースとは異なる第２の無線通信インターフェースと、
制御部と、を備え、
前記制御部は、
前記第１の無線通信インターフェースを介して、プリンタと無線設定値を通信する設定値通信部であって、前記無線設定値は、前記第２の無線通信インターフェースを介した無線接続を前記プリンタと確立するための設定値である、前記設定値通信部と、
前記無線設定値を利用して、前記第２の無線通信インターフェースを介した前記無線接続を前記プリンタと確立する確立部と、
前記無線接続を利用して、前記第２の無線通信インターフェースを介して、印刷対象の第１の画像を表わす第１の画像データを前記プリンタに送信する画像データ送信部と、
前記第１の画像データが送信された後に、前記無線接続を切断するための条件として予め決められている機器側切断条件が満たされるのか否かを判断する判断部と、
前記機器側切断条件が満たされると判断される場合に、前記無線接続を切断する切断部と、を備え、
前記画像データ送信部は、さらに、前記機器側切断条件が満たされないと判断される場合に、前記無線接続を利用して、前記第２の無線通信インターフェースを介して、印刷対象の第２の画像を表わす第２の画像データを前記プリンタに送信する、通信機器。
【請求項２】
前記判断部は、さらに、前記第２の画像データが送信された後に、前記機器側切断条件が満たされるのか否かを再び判断する、請求項１に記載の通信機器。
【請求項３】
前記制御部は、さらに、
前記第１の画像データが送信された後に、前記無線接続を切断すべきか否かをユーザに選択させるための選択画面を、前記通信機器の表示部に表示させる表示制御部を備え、
前記判断部は、
前記選択画面において、前記無線接続を切断すべきことが前記ユーザによって選択される場合に、前記機器側切断条件が満たされると判断し、
前記選択画面において、前記無線接続を切断すべきでないことが前記ユーザによって選択される場合に、前記機器側切断条件が満たされないと判断する、請求項１又は２に記載の通信機器。
【請求項４】
前記設定値通信部は、前記第１の無線通信インターフェースを介して、前記プリンタから前記無線設定値を受信し、
前記確立部は、前記プリンタが親局である無線ネットワークに前記通信機器を子局として参加させるために、前記プリンタと前記無線接続を確立し、
前記切断部は、前記機器側切断条件が満たされると判断される場合に、前記無線ネットワークから前記通信機器を離脱させて、前記無線接続を切断する、請求項１から３のいずれか一項に記載の通信機器。
【請求項５】
前記制御部は、さらに、
前記無線接続を利用して、前記第２の無線通信インターフェースを介して、前記プリンタから所定の通知を受信する通知受信部であって、前記所定の通知は、前記第１の画像の印刷が完了する場合に、前記プリンタから送信される通知である、前記通知受信部を備え、
前記判断部は、前記第１の画像データが前記プリンタに送信された後であって、前記プリンタから前記所定の通知が受信される場合に、前記機器側切断条件が満たされるのか否かを判断する、請求項１から４のいずれか一項に記載の通信機器。
【請求項６】
前記第１の無線通信インターフェースは、ＮＦＣ（Near Field Communication）規格の通信方式であるＮＦＣ方式で無線通信を実行するためのインターフェースである、請求項１から５のいずれか一項に記載の通信機器。
【請求項７】
通信機器のためのコンピュータプログラムであって、
前記通信機器に搭載されるコンピュータに、以下の各処理、即ち、
前記通信機器の第１の無線通信インターフェースを介して、プリンタと無線設定値を通信する設定値通信処理であって、前記無線設定値は、前記通信機器の第２の無線通信インターフェースであって、前記第１の無線通信インターフェースとは異なる前記第２の無線通信インターフェースを介した無線接続を前記プリンタと確立するための設定値である、前記設定値通信処理と、
前記無線設定値を利用して、前記第２の無線通信インターフェースを介した前記無線接続を前記プリンタと確立する確立処理と、
前記無線接続を利用して、前記第２の無線通信インターフェースを介して、印刷対象の第１の画像を表わす第１の画像データを前記プリンタに送信する第１の画像データ送信処理と、
前記第１の画像データが送信された後に、前記無線接続を切断するための条件として予め決められている機器側切断条件が満たされるのか否かを判断する判断処理と、
前記機器側切断条件が満たされると判断される場合に、前記無線接続を切断する切断処理と、
前記機器側切断条件が満たされないと判断される場合に、前記無線接続を利用して、前記第２の無線通信インターフェースを介して、印刷対象の第２の画像を表わす第２の画像データを前記プリンタに送信する第２の画像データ送信処理と、
を実行させるコンピュータプログラム。
【請求項８】
プリンタであって、
第１の無線通信インターフェースと、
前記第１の無線通信インターフェースとは異なる第２の無線通信インターフェースと、
印刷実行部と、
制御部と、を備え、
前記制御部は、
前記第１の無線通信インターフェースを介して、通信機器と無線設定値を通信する設定値通信部であって、前記無線設定値は、前記第２の無線通信インターフェースを介した無線接続を前記通信機器と確立するための設定値である、前記設定値通信部と、
前記無線設定値を利用して、前記第２の無線通信インターフェースを介した前記無線接続を前記通信機器と確立する確立部と、
前記無線接続を利用して、前記第２の無線通信インターフェースを介して、前記通信機器から第１の画像データを受信する画像データ受信部と、
前記第１の画像データによって表わされる第１の画像の印刷を前記印刷実行部に実行させる印刷制御部と、
前記第１の画像データが受信された後に、前記無線接続を切断するための条件として予め決められているプリンタ側切断条件が満たされるのか否かを判断する判断部と、
前記プリンタ側切断条件が満たされると判断される場合に、前記無線接続を切断する切断部と、を備え、
前記画像データ受信部は、さらに、前記プリンタ側切断条件が満たされないと判断される場合に、前記無線接続を利用して、前記第２の無線通信インターフェースを介して、前記通信機器から第２の画像データを受信し、
前記印刷制御部は、さらに、前記第２の画像データによって表わされる第２の画像の印刷を前記印刷実行部に実行させる、プリンタ。
【請求項９】
前記プリンタは、さらに、
外部機器を識別するための識別情報を格納するためのメモリを備え、
前記制御部は、さらに、
前記無線接続を利用して、前記第２の無線通信インターフェースを介して、前記通信機器から、前記通信機器を識別するための特定の識別情報を受信する識別情報受信部を備え、
前記判断部は、
前記特定の識別情報が前記メモリに格納されていない場合に、前記プリンタ側切断条件が満たされると判断し、
前記特定の識別情報が前記メモリに格納されている場合に、前記プリンタ側切断条件が満たされないと判断する、請求項８に記載のプリンタ。
【請求項１０】
前記設定値通信部は、前記第１の無線通信インターフェースを介して、前記無線設定値を前記プリンタに送信し、
前記確立部は、前記プリンタが親局である無線ネットワークに前記通信機器を子局として参加させるために、前記通信機器と前記無線接続を確立し、
前記切断部は、前記プリンタ側切断条件が満たされると判断される場合に、前記無線ネットワークを消滅させることによって、前記無線接続を切断する、請求項８又は９に記載のプリンタ。
【発明の詳細な説明】
【技術分野】
【０００１】
本明細書では、通信機器とプリンタとの間でデータの無線通信を実行するための技術を開示する。
【背景技術】
【０００２】
特許文献１には、データを送信する側の無線通信装置であるイニシエータと、当該データを受信する側の無線通信装置であるターゲットと、を備えるシステムが開示されている。イニシエータは、ターゲットに送信予定のデータのサイズが閾値以下である場合には、ＮＦＣを利用して、当該データをターゲットに送信する。一方において、イニシエータは、ターゲットに送信予定のデータのサイズが閾値よりも大きい場合には、通信方式をＮＦＣからＢｌｕｅｔｏｏｔｈ（登録商標）にハンドオーバし、Ｂｌｕｅｔｏｏｔｈ（登録商標）の無線接続を利用して、データをターゲットに送信する。イニシエータは、データを送信し終えると、当該無線接続を切断する。
【先行技術文献】
【特許文献】
【０００３】
【特許文献１】特開２０１０−１７８００２号公報
【発明の概要】
【発明が解決しようとする課題】
【０００４】
上記の特許文献１の技術では、イニシエータは、通信方式をＮＦＣからＢｌｕｅｔｏｏｔｈ（登録商標）にハンドオーバした後に、データを送信し終えると、無線接続を必ず切断する。しかしながら、無線接続を継続すべき状況も存在し得る。
【０００５】
本明細書では、無線通信インターフェースを変更して画像データの通信を実行した後に、適切な処理を実行し得る技術を提供する。
【課題を解決するための手段】
【０００６】
本明細書によって開示される通信機器は、第１の無線通信インターフェースと、第１の無線通信インターフェースとは異なる第２の無線通信インターフェースと、制御部と、を備える。制御部は、設定値通信部と、確立部と、画像データ送信部と、判断部と、切断部と、を備える。設定値通信部は、第１の無線通信インターフェースを介して、プリンタと無線設定値を通信する。無線設定値は、第２の無線通信インターフェースを介した無線接続をプリンタと確立するための設定値である。確立部は、無線設定値を利用して、第２の無線通信インターフェースを介した無線接続をプリンタと確立する。画像データ送信部は、無線接続を利用して、第２の無線通信インターフェースを介して、印刷対象の第１の画像を表わす第１の画像データをプリンタに送信する。判断部は、第１の画像データが送信された後に、無線接続を切断するための条件として予め決められている機器側切断条件が満たされるのか否かを判断する。切断部は、機器側切断条件が満たされると判断される場合に、無線接続を切断する。画像データ送信部は、さらに、機器側切断条件が満たされないと判断される場合に、無線接続を利用して、第２の無線通信インターフェースを介して、印刷対象の第２の画像を表わす第２の画像データをプリンタに送信する。
【０００７】
上記の構成によると、通信機器は、第１の無線通信インターフェースから第２の無線通信インターフェースに変更して、第１の画像データをプリンタに送信した後に、機器側切断条件が満たされる場合に、無線接続を切断する。一方において、通信機器は、機器側切断条件が満たされない場合に、無線接続を維持し、第２の画像データをプリンタに送信する。このように、通信機器は、無線通信インターフェースを変更して第１の画像データを送信した後に、適切な処理を実行し得る。
【０００８】
本明細書によって開示されるプリンタは、第１の無線通信インターフェースと、第１の無線通信インターフェースとは異なる第２の無線通信インターフェースと、印刷実行部と、制御部と、を備える。制御部は、設定値通信部と、確立部と、画像データ受信部と、印刷制御部と、判断部と、切断部と、を備える。設定値通信部は、第１の無線通信インターフェースを介して、通信機器と無線設定値を通信する。無線設定値は、第２の無線通信インターフェースを介した無線接続を通信機器と確立するための設定値である。確立部は、無線設定値を利用して、第２の無線通信インターフェースを介した無線接続を通信機器と確立する。画像データ受信部は、無線接続を利用して、第２の無線通信インターフェースを介して、通信機器から第１の画像データを受信する。印刷制御部は、第１の画像データによって表わされる第１の画像の印刷を印刷実行部に実行させる。判断部は、第１の画像データが受信された後に、無線接続を切断するための条件として予め決められているプリンタ側切断条件が満たされるのか否かを判断する。切断部は、プリンタ側切断条件が満たされると判断される場合に、無線接続を切断する。画像データ受信部は、さらに、プリンタ側切断条件が満たされないと判断される場合に、無線接続を利用して、第２の無線通信インターフェースを介して、通信機器から第２の画像データを受信する。印刷制御部は、さらに、第２の画像データによって表わされる第２の画像の印刷を印刷実行部に実行させる。
【０００９】
上記の構成によると、プリンタは、第１の無線通信インターフェースから第２の無線通信インターフェースに変更して、通信機器から第１の画像データを受信した後に、プリンタ側切断条件が満たされる場合に、無線接続を切断する。一方において、プリンタは、プリンタ側切断条件が満たされない場合に、無線接続を維持し、通信機器から第２の画像データを受信して印刷を実行する。このように、プリンタは、無線通信インターフェースを変更して第１の画像データを受信した後に、適切な処理を実行し得る。
【００１０】
上記の通信機器及び／又はプリンタを実現するための制御方法、コンピュータプログラム、及び、当該コンピュータプログラムを格納するコンピュータ読取可能記録媒体も、新規で有用である。また、上記の通信機器とプリンタとを備える通信システムも、新規で有用である。
【図面の簡単な説明】
【００１１】
【図１】通信システムの構成を示す。
【図２】第１実施例のプリンタのＣＰＵの処理のフローチャートを示す。
【図３】第１実施例の携帯端末のＣＰＵの処理のフローチャートを示す。
【図４】第１実施例のシーケンス図を示す。
【図５】第２実施例のプリンタのＣＰＵの処理のフローチャートを示す。
【図６】第２実施例の携帯端末のＣＰＵの処理のフローチャートを示す。
【図７】第２実施例のシーケンス図を示す。
【発明を実施するための形態】
【００１２】
（第１実施例）
（通信システム２の構成）
図１に示されるように、通信システム２は、プリンタ１０と、携帯端末５０と、を備える。プリンタ１０と携帯端末５０とのそれぞれは、ＮＦＣ（Near Field Communicationの略）規格の通信方式であるＮＦＣ方式の無線通信（即ちＮＦＣ通信）を実行可能であり、さらに、Ｗｉ−Ｆｉ  Ａｌｌｉａｎｃｅによって策定された通信方式であるＷｉ−Ｆｉ方式の無線通信（即ちＷｉ−Ｆｉ通信）を実行可能である。
【００１３】
（プリンタ１０の構成）
プリンタ１０は、印刷機能を実行可能な周辺機器（即ちＰＣ（Personal Computerの略）等の周辺機器）である。プリンタ１０は、操作部１２と、表示部１４と、印刷実行部１６と、無線ＬＡＮ（Local Area Networkの略）インターフェース２０と、ＮＦＣインターフェース２２と、制御部３０と、を備える。以下では、インターフェースのことを「Ｉ／Ｆ」と記載する。
【００１４】
操作部１２は、複数のキーを備える。ユーザは、操作部１２を操作することによって、様々な指示をプリンタ１０に入力することができる。表示部１４は、様々な情報を表示するためのディスプレイである。印刷実行部１６は、インクジェット方式、レーザ方式等の印刷機構である。
【００１５】
無線ＬＡＮＩ／Ｆ２０は、Ｗｉ−Ｆｉ方式の無線通信を実行するためのインターフェースである。Ｗｉ−Ｆｉ方式は、例えば、ＩＥＥＥ（The Institute of Electrical and Electronics Engineers, Inc.の略）の８０２．１１の規格又はそれに準ずる規格（例えば、８０２．１１ａ，１１ｂ，１１ｇ，１１ｎ等）に従った無線通信方式である。
【００１６】
より具体的に言うと、無線ＬＡＮＩ／Ｆ２０は、Ｗｉ−Ｆｉ  Ａｌｌｉａｎｃｅによって策定されたＷＦＤ（Wi-Fi Directの略）方式をサポートしている。従って、制御部３０は、ＷＦＤ方式の無線ネットワーク（以下では「ＷＦＤＮＷ」と呼ぶ）を利用して、無線ＬＡＮＩ／Ｆ２０を介して、Ｗｉ−Ｆｉ通信を実行することができる。ＷＦＤ方式の詳細は、Ｗｉ−Ｆｉ  Ａｌｌｉａｎｃｅによって作成された「Ｗｉ−Ｆｉ  Ｐｅｅｒ−ｔｏ−Ｐｅｅｒ（Ｐ２Ｐ）  Ｔｅｃｈｎｉｃａｌ  Ｓｐｅｃｉｆｉｃａｔｉｏｎ  Ｖｅｒｓｉｏｎ１．１」に記述されている。また、米国特許出願公開第２０１３／０２６０６８３号公報にも、ＷＦＤ方式の詳細が開示されており、当該文献を参照して引用する。
【００１７】
ＮＦＣＩ／Ｆ２２は、ＮＦＣ方式の無線通信を実行するためのインターフェースである。ＮＦＣ方式は、例えば、ＩＳＯ／ＩＥＣ２１４８１又はＩＳＯ／ＩＥＣ１８０９２の国際標準規格に従った無線通信方式である。ＮＦＣＩ／Ｆ２２は、ＮＦＣフォーラムタグ（NFC Forum Tag）と呼ばれるＩ／Ｆであり、ＮＦＣ規格のＩＣタグとして機能する。ＮＦＣＩ／Ｆ２２は、ＲＡＭを備えており、制御部３０から供給される情報を格納することができる。なお、変形例では、ＮＦＣＩ／Ｆ２２は、Ｐ２ＰモードとＲｅａｄｅｒ／ＷｒｉｔｅｒモードとＣＥモードとのうちの少なくとも一つで動作可能であるＮＦＣフォーラムデバイスと呼ばれるＩ／Ｆであってもよい。
【００１８】
無線ＬＡＮＩ／Ｆ２０とＮＦＣＩ／Ｆ２２とは、物理的に異なるチップによって構成されている。無線ＬＡＮＩ／Ｆ２０を介した無線通信の通信速度（例えば、最大の通信速度が１１〜６００Ｍｂｐｓ）は、ＮＦＣＩ／Ｆ２２を介した無線通信の通信速度（例えば、最大の通信速度が１０６〜４２４ｋｂｐｓ）よりも速い。無線ＬＡＮＩ／Ｆ２０を介した無線通信における搬送波の周波数（例えば、２．４ＧＨｚ帯、５．０ＧＨｚ帯）は、ＮＦＣＩ／Ｆ２２を介した無線通信における搬送波の周波数（例えば、１３．５６ＭＨｚ帯）とは異なる。また、無線ＬＡＮＩ／Ｆ２０を介して無線通信可能な最大の距離（例えば１００ｍ）は、ＮＦＣＩ／Ｆ２２を介して無線通信可能な最大の距離（例えば１０ｃｍ）よりも大きい。
【００１９】
制御部３０は、ＣＰＵ３２と、メモリ３４と、を備える。ＣＰＵ３２は、メモリ３４に格納されているプログラムに従って、様々な処理を実行するプロセッサである。なお、図１では、メモリ３４がさらにユーザＩＤリストを格納している。ただし、ユーザＩＤリストは、後述の第２実施例で利用される。
【００２０】
（携帯端末５０の構成）
携帯端末５０は、例えば、携帯電話（例えばスマートフォン）、ＰＤＡ、ノートＰＣ、タブレットＰＣ、携帯型音楽再生装置、携帯型動画再生装置等の可搬型の端末装置である。携帯端末５０は、操作部５２と、表示部５４と、無線ＬＡＮＩ／Ｆ６０と、ＮＦＣＩ／Ｆ６２と、制御部７０と、を備える。
【００２１】
操作部５２は、複数のキーを備える。ユーザは、操作部５２を操作することによって、様々な指示を携帯端末５０に入力することができる。表示部５４は、様々な情報を表示するためのディスプレイである。無線ＬＡＮＩ／Ｆ６０、ＮＦＣＩ／Ｆ６２は、それぞれ、プリンタ１０の無線ＬＡＮＩ／Ｆ２０、ＮＦＣＩ／Ｆ２２と同様である。
【００２２】
制御部７０は、ＣＰＵ７２と、メモリ７４と、を備える。ＣＰＵ７２は、メモリ７４に格納されているプログラムに従って、様々な処理を実行するプロセッサである。上記のプログラムは、ＯＳ（Operation Systemの略）プログラムと、プリンタ用アプリケーションと、を含む。以下では、アプリケーションのことを、「アプリ」と省略して記載する。
【００２３】
プリンタ用アプリは、印刷機能をプリンタ１０に実行させるためのプログラムである。プリンタ用アプリは、インターネット上のサーバから携帯端末５０にインストールされてもよいし、プリンタ１０と共に出荷されるメディアから携帯端末５０にインストールされてもよい。
【００２４】
（ＷＦＤ方式）
続いて、ＷＦＤ方式について説明する。ＷＦＤの規格書では、ＷＦＤ機器の状態として、Ｇｒｏｕｐ  Ｏｗｎｅｒ状態（以下では「Ｇ／Ｏ状態」と呼ぶ）、クライアント状態（以下では「ＣＬ状態」と呼ぶ）、及び、デバイス状態の３つの状態が定義されている。ＷＦＤ機器は、上記の３つの状態のうちの１つの状態で選択的に動作可能である。
【００２５】
Ｇ／Ｏ状態のＷＦＤ機器（即ちＧ／Ｏ機器）は、当該ＷＦＤ機器が親局として動作する無線ネットワーク（即ちＷＦＤＮＷ）を形成する機器である。ＣＬ状態のＷＦＤ機器（即ちＣＬ機器）は、ＷＦＤＮＷの子局として動作する機器である。デバイス状態のＷＦＤ機器（即ちデバイス機器）は、ＷＦＤＮＷに所属していない機器である。
【００２６】
Ｇ／Ｏ機器とＣＬ機器との双方が所属しているＷＦＤＮＷは、例えば、以下の２つの手順のいずれかによって形成される。第１の手順では、一対のデバイス機器は、Ｇ／Ｏネゴシエーションと呼ばれる無線通信を実行する。これにより、当該一対のデバイス機器のうちの一方は、Ｇ／Ｏ状態（即ちＧ／Ｏ機器）になることを決定し、他方は、ＣＬ状態（即ちＣＬ機器）になることを決定する。そして、Ｇ／Ｏ機器は、ＷＦＤＮＷを形成して、ＣＬ機器との接続を確立する。これにより、Ｇ／Ｏ機器とＣＬ機器との双方が所属しているＷＦＤＮＷが形成される。第２の手順では、デバイス機器は、Ｇ／Ｏネゴシエーションを実行せずに、自発的にＧ／Ｏ状態に移行して、ＷＦＤＮＷを形成する。この場合、ＷＦＤＮＷが形成された後に、他のデバイス機器は、Ｇ／Ｏネゴシエーションを実行せずに、ＣＬ状態に移行して、Ｇ／Ｏ機器との接続を確立する。これにより、Ｇ／Ｏ機器とＣＬ機器との双方が所属しているＷＦＤＮＷが形成される。
【００２７】
Ｇ／Ｏ機器は、他の機器を介さずに、ＣＬ機器と対象データの無線通信を実行可能である。対象データは、ＯＳＩ参照モデルのネットワーク層の情報、及び、ネットワーク層よりも上位層（例えばアプリケーション層）の情報を含むデータであり、例えば、印刷対象の画像を表わす画像データを含む。また、Ｇ／Ｏ機器は、一対のＣＬ機器の間の対象データの無線通信を中継可能である。このように、ＷＦＤＮＷでは、各機器は、当該各機器とは別体に構成されているアクセスポイント（以下では「ＡＰ」と呼ぶ）を介さずに、対象データの無線通信を実行することができる。即ち、ＷＦＤ方式は、ＡＰが利用されない無線通信方式であると言える。
【００２８】
また、Ｇ／Ｏ機器は、ＷＦＤＮＷに所属していないデバイス機器と対象データの無線通信を実行することができないが、デバイス機器と接続用データの無線通信を実行して、デバイス機器との接続を確立することができる。これにより、Ｇ／Ｏ機器は、デバイス機器をＷＦＤＮＷに参加させることができる。
【００２９】
上記の接続用データは、ＯＳＩ参照モデルのネットワーク層よりも下位層（例えば、物理層、データリンク層等）の情報を含むデータ（即ち、ネットワーク層の情報を含まないデータ）である。接続用データは、例えば、Probe Request/Response信号、Provision Discovery Request/Response信号、Authentication Request/Response信号、Association Request/Response信号、WSC Exchange、4-Way Handshake等を含む。なお、以下では、Request、Responseのことを、ぞれぞれ、「Req.」、「Res.」と省略して記載する。
【００３０】
Probe Req.信号は、無線ネットワークの親局として動作する機器（例えば、Ｇ／Ｏ機器、ＡＰ）をサーチするための信号であり、Probe Res.信号は、その応答信号である。Provision Discovery Req.信号は、ＷＰＳ（Wi-Fi Protected Setupの略）の方式（例えば、プッシュボタン方式、ＰＩＮコード方式等）を確認するための信号であり、Provision Discovery Res.信号は、その応答信号である。Authentication Req.信号は、認証方式を確認するための信号であり、Authentication Res.信号は、その応答信号である。Association Req.信号は、接続を要求するための信号であり、Association Res.信号は、その応答信号である。WSC Exchangeは、パスワード等の各種情報を供給するための信号である。4-Way Handshakeは、認証を実行するための信号である。
【００３１】
（プリンタ１０のＣＰＵ３２が実行する処理；図２）
続いて、図２を参照して、プリンタ１０のＣＰＵ３２が実行する処理について説明する。プリンタ１０の電源ＯＮ時には、プリンタ１０は、いずれの無線ネットワークにも接続されておらず、ＷＦＤ規格のデバイス状態である。ＣＰＵ３２は、プリンタ１０の電源ＯＮ時に、プリンタ１０の状態を示す値（以下では「ＷＦＤ状態値」と呼ぶ）として、デバイス状態を示す値をメモリ３４内に格納する。
【００３２】
また、ＣＰＵ３２は、プリンタ１０の電源ＯＮ時に、ＷＦＤＮＷで利用されるべき無線設定値を生成する。無線設定値は、ＳＳＩＤ（Service Set Identifierの略）、ＢＳＳＩＤ（Basic Service Set Identifierの略）、認証方式、暗号化方式、及び、パスワードを含む。ＳＳＩＤ及びＢＳＳＩＤは、ＷＦＤＮＷを識別するための識別情報である。より具体的に言うと、ＳＳＩＤは、ＷＦＤＮＷのネットワーク識別子であり、ＢＳＳＩＤは、プリンタ１０のＭＡＣアドレスである。認証方式、暗号化方式、及び、パスワードは、ＷＦＤＮＷにおいて、機器の認証、データの暗号化等を実行するための情報である。
【００３３】
ＣＰＵ３２は、ランダムに文字列を生成することによって、ＳＳＩＤ及びパスワードを生成する。ただし、ＢＳＳＩＤ、認証方式、及び、暗号化方式は、予め決められている情報であり、ＣＰＵ３２によって生成される情報ではない。ＣＰＵ３２は、生成済みの無線設定値をメモリ３４に格納し、さらに、生成済みの無線設定値をＮＦＣＩ／Ｆ２２に供給する。これにより、ＮＦＣＩ／Ｆ２２内のＲＡＭに無線設定値が格納される。
【００３４】
Ｓ１０では、ＣＰＵ３２は、プリンタ１０のＮＦＣＩ／Ｆ２２と携帯端末５０のＮＦＣＩ／Ｆ６２との間にＮＦＣ方式に従った接続（以下では「ＮＦＣ接続」と呼ぶ）が確立されることを監視する。プリンタ１０のＮＦＣＩ／Ｆ２２は、ＮＦＣ接続を確立するための要求信号を外部に定期的に送信する。同様に、携帯端末５０のＮＦＣＩ／Ｆ６２も、要求信号を外部に定期的に送信する。一対のＮＦＣＩ／Ｆ２２，６２の間の距離がＮＦＣ通信可能な最大の距離（例えば１０ｃｍ）以下になると、一方のＮＦＣＩ／Ｆは、他方のＩ／Ｆから要求信号を受信して、応答信号を他方のＩ／Ｆに送信する。これにより、一対のＮＦＣＩ／Ｆ２２，６２の間にＮＦＣ接続が確立される。プリンタ１０のＮＦＣＩ／Ｆ２２は、ＮＦＣ接続が確立されたことを示す情報を制御部３０に供給する。この結果、ＣＰＵ３２は、Ｓ１０でＹＥＳと判断して、Ｓ１２に進む。
【００３５】
上述したように、プリンタ１０のＮＦＣＩ／Ｆ２２内のＲＡＭには無線設定値が予め格納されている。上記のＮＦＣ接続が確立されると、携帯端末５０のＮＦＣＩ／Ｆ６２は、プリンタ１０のＮＦＣＩ／Ｆ２２から無線設定値を読み出す。即ち、携帯端末５０のＣＰＵ７２は、ＮＦＣＩ／Ｆ６２を介して、プリンタ１０から無線設定値を受信する。換言すると、プリンタ１０のＣＰＵ３２は、ＮＦＣＩ／Ｆ２２内のＲＡＭに無線設定値を予め格納させておくことによって、ＮＦＣＩ／Ｆ２２を介して、無線設定値を携帯端末５０に送信する。なお、以下では、プリンタ１０から携帯端末５０に送信される無線設定値、当該無線設定値内のＳＳＩＤのことを、それぞれ、「対象無線設定値」、「対象ＳＳＩＤ」と呼ぶ。
【００３６】
Ｓ１２では、ＣＰＵ３２は、Ｇ／Ｏネゴシエーションを実行せずに自発的に、プリンタ１０の状態をＧ／Ｏ状態に移行させる。具体的に言うと、ＣＰＵ３２は、メモリ３４内のＷＦＤ状態値を、デバイス状態を示す値から、Ｇ／Ｏ状態を示す値に変更する。Ｓ１２の段階では、ＣＰＵ３２は、Ｇ／Ｏ機器であるプリンタ１０のみが所属しているＷＦＤＮＷを形成する。
【００３７】
Ｓ１４では、ＣＰＵ３２は、無線ＬＡＮＩ／Ｆ２０を介して、携帯端末５０から対象ＳＳＩＤを含むProbe Req.信号を受信することを監視する。ＣＰＵ３２は、対象ＳＳＩＤを含むProbe Req.信号を受信する場合には、Ｓ１４でＹＥＳと判断して、Ｓ１６に進む。一方において、ＣＰＵ３２は、Ｓ１２を終えてから所定時間が経過しても、対象ＳＳＩＤを含むProbe Req.信号を受信しない場合には、Ｓ１４でＮＯと判断して、Ｓ１６〜Ｓ３２をスキップしてＳ４０に進む。
【００３８】
Ｓ１６では、ＣＰＵ３２は、無線ＬＡＮＩ／Ｆ２０を介して、携帯端末５０とＷｉ−Ｆｉ接続を確立する。具体的に言うと、ＣＰＵ３２は、Probe Res.信号の送信、Authentication Req.信号の受信、Authentication Res.信号の送信等を実行する。これらの通信の過程において、ＣＰＵ３２は、対象無線設定値内の認証方式、暗号化方式、及び、パスワードに従って、認証及び暗号化を実行する。即ち、ＣＰＵ３２は、対象無線設定値を利用して、携帯端末５０とＷｉ−Ｆｉ接続を確立する。この結果、プリンタ１０の無線ＬＡＮＩ／Ｆ２０と携帯端末５０の無線ＬＡＮＩ／Ｆ６０との間にＷｉ−Ｆｉ接続が確立される。即ち、プリンタ１０は、プリンタ１０がＧ／Ｏ機器であるＷＦＤＮＷに、携帯端末５０をＣＬ機器として参加させる。これにより、プリンタ１０及び携帯端末５０の両方が所属しているＷＦＤＮＷが形成される。
【００３９】
なお、ＣＰＵ３２は、携帯端末５０がＷＦＤＮＷに参加している状態では、無線ＬＡＮＩ／Ｆ２０を介して、生存確認信号を携帯端末５０に定期的に送信する。ＣＰＵ３２は、生存確認信号に対する応答信号を受信することを監視することによって、携帯端末５０がＷＦＤＮＷから離脱することを監視することができる。
【００４０】
Ｓ１８では、ＣＰＵ３２は、Ｗｉ−Ｆｉ接続を利用して（即ちＷＦＤＮＷを利用して）、無線ＬＡＮＩ／Ｆ２０を介して、携帯端末５０から画像データを受信する。画像データは、比較的に大きいデータサイズを有する。そして、ＮＦＣ通信の通信速度は、ＷＦＤ通信の通信速度よりも遅い。従って、仮に、プリンタ１０及び携帯端末５０の間で、ＮＦＣ通信を利用して、画像データの無線通信が実行される構成を採用すると、画像データの無線通信のために長時間を要する。これに対し、本実施例では、プリンタ１０及び携帯端末５０は、Ｗｉ−Ｆｉ通信を利用して、画像データの無線通信を実行するので、画像データの無線通信を迅速に実行することができる。
【００４１】
次いで、Ｓ２０では、ＣＰＵ３２は、画像データを印刷実行部１６に供給する。これにより、印刷実行部１６は、画像データによって表わされる画像を印刷媒体に印刷する。ＣＰＵ３２は、画像の印刷が完了すると、Ｓ２２に進む。
【００４２】
Ｓ２２では、ＣＰＵ３２は、Ｗｉ−Ｆｉ接続を利用して、無線ＬＡＮＩ／Ｆ２０を介して、印刷完了通知を携帯端末５０に送信する。印刷完了通知は、印刷が完了したことを通知するためのコマンドである。
【００４３】
次いで、ＣＰＵ３２は、Ｓ３０又はＳ３２でＹＥＳと判断するまで、Ｓ３０の監視処理及びＳ３２の監視処理を繰り返し実行する。Ｓ３０では、ＣＰＵ３２は、無線ＬＡＮＩ／Ｆ２０を介して、携帯端末５０から画像データ（例えばＳ１８の画像データとは異なる画像データ）を受信することを監視する。ＣＰＵ３２は、携帯端末５０から画像データを受信する場合には、Ｓ３０でＹＥＳと判断して、Ｓ２０及びＳ２２を再び実行する。
【００４４】
また、Ｓ３２では、ＣＰＵ３２は、携帯端末５０がＷＦＤＮＷから離脱することを監視する。上述したように、ＣＰＵ３２は、無線ＬＡＮＩ／Ｆ２０を介して、生存確認信号を定期的に携帯端末５０に送信する。そして、ＣＰＵ３２は、携帯端末５０から生存確認信号に対する応答信号を受信しない場合には、携帯端末５０がＷＦＤＮＷから離脱したと判断し（Ｓ３２でＹＥＳ）、Ｓ４０に進む。
【００４５】
Ｓ４０では、ＣＰＵ３２は、プリンタ１０の状態をＧ／Ｏ状態からデバイス状態に変更する。即ち、ＣＰＵ３２は、メモリ３４内のＷＦＤ状態値を、Ｇ／Ｏ状態を示す値から、デバイス状態を示す値に変更する。これにより、ＷＦＤＮＷが消滅する。
【００４６】
次いで、Ｓ４２では、ＣＰＵ３２は、新たな無線設定値を生成し、古い無線設定値に代えて新たな無線設定値をメモリ３４に格納する。Ｓ４２でも、ＣＰＵ３２は、ランダムに文字列を生成することによって、ＳＳＩＤ及びパスワードを生成する。従って、Ｓ４２で生成されるＳＳＩＤ及びパスワードは、通常、電源ＯＮ時（もしくは過去のＳ４２の実行時）に生成されるＳＳＩＤ及びパスワードとは異なる。
【００４７】
次いで、Ｓ４４では、ＣＰＵ３２は、新たな無線設定値をＮＦＣＩ／Ｆ２２に供給する。この結果、ＮＦＣＩ／Ｆ２２のＲＡＭには、古い無線設定値に代えて新たな無線設定値が格納される。Ｓ４４が終了すると、Ｓ１０に戻る。
【００４８】
（携帯端末５０のＣＰＵ７２が実行する処理；図３）
続いて、図３を参照して、携帯端末５０のＣＰＵ７２が実行する処理について説明する。ＣＰＵ７２は、プリンタ用アプリを起動するための操作と、所定の操作と、が操作部５２に実行される場合に、図３の処理を開始する。所定の操作は、携帯端末５０のメモリ７４内の画像データ（即ち印刷対象の画像を表わす画像データ）の選択を含む。
【００４９】
Ｓ５０では、ＣＰＵ７２は、ＮＦＣ接続が確立されることを監視する（図２のＳ１０参照）。携帯端末５０のＮＦＣＩ／Ｆ６２は、ＮＦＣ接続が確立されたことを示す情報を制御部７０に供給する。この結果、ＣＰＵ７２は、Ｓ５０でＹＥＳと判断して、Ｓ５２において、ＮＦＣＩ／Ｆ６２を介して、プリンタ１０から対象無線設定値を受信する。ＣＰＵ７２は、対象無線設定値をメモリ７４に格納させる。
【００５０】
次いで、Ｓ５４では、ＣＰＵ７２は、無線ＬＡＮＩ／Ｆ６０を介して、対象ＳＳＩＤを含むProbe Req.信号をプリンタ１０に送信する（図２のＳ１４参照）。次いで、Ｓ５６では、ＣＰＵ７２は、無線ＬＡＮＩ／Ｆ６０を介して、プリンタ１０とＷｉ−Ｆｉ接続を確立する（図２のＳ１６参照）。具体的に言うと、ＣＰＵ７２は、Probe Res.信号の受信、Authentication Req.信号の送信、Authentication Res.信号の受信等を実行する。ＣＰＵ７２は、対象無線設定値内の認証方式、暗号化方式、及び、パスワードに従って、認証及び暗号化を実行する。即ち、ＣＰＵ７２は、対象無線設定値を利用して、プリンタ１０とＷｉ−Ｆｉ接続を確立する。これにより、携帯端末５０は、ＣＬ機器としてＷＦＤＮＷに参加する。
【００５１】
Ｓ５８では、ＣＰＵ７２は、Ｗｉ−Ｆｉ接続を利用して、無線ＬＡＮＩ／Ｆ６０を介して、画像データをプリンタ１０に送信する（図２のＳ１８参照）。当該画像データは、上記の所定の操作で選択される画像データである。
【００５２】
次いで、Ｓ７０では、ＣＰＵ７２は、Ｗｉ−Ｆｉ接続を利用して、無線ＬＡＮＩ／Ｆ６０を介して、プリンタ１０から印刷完了通知を受信することを監視する（図２のＳ２２参照）。ＣＰＵ７２は、印刷完了通知を受信する場合には、Ｓ７０でＹＥＳと判断して、Ｓ７２に進む。
【００５３】
Ｓ７２では、ＣＰＵ７２は、選択画面を表示部５４に表示させる。選択画面は、「継続」を示すボタンと、「切断」を示すボタンと、を含む（図３のＴ６０参照）。ユーザは、送信済みの画像データとは異なる画像データに従ったさらなる印刷の実行を望む場合には、「継続」を示すボタンを選択し、さらなる印刷の実行を望まない場合には、「切断」を示すボタンを選択する。
【００５４】
次いで、Ｓ７４では、ＣＰＵ７２は、「継続」を示すボタンが選択されたのか、「切断」を示すボタンが選択されたのか、を判断する。ＣＰＵ７２は、「継続」を示すボタンが選択されたと判断する場合（Ｓ７４でＹＥＳ）には、Ｓ５８，Ｓ７０，Ｓ７２，Ｓ７４を再び実行する。なお、ユーザは、「継続」を示すボタンを選択する場合には、さらに、メモリ７４内から画像データを新たに選択する。そして、再び実行されるＳ５８では、ＣＰＵ７２は、新たに選択された画像データをプリンタ１０に送信する。一方において、ＣＰＵ７２は、「切断」を示すボタンが選択されたと判断する場合（Ｓ７４でＮＯ）には、Ｓ８０に進む。
【００５５】
Ｓ８０では、ＣＰＵ７２は、携帯端末５０をＷＦＤＮＷから離脱させる（図２のＳ３２でＹＥＳ参照）。携帯端末５０がＷＦＤＮＷに参加している状態では、ＣＰＵ７２は、プリンタ１０から生存確認信号を受信する場合に、応答信号をプリンタ１０に送信する。Ｓ８０では、ＣＰＵ７２は、応答信号の送信を実行する状態から、応答信号の送信を実行しない状態に移行することによって、ＷＦＤＮＷから離脱する。また、ＣＰＵ７２は、メモリ７４から対象無線設定値を削除する。Ｓ８０が実行されると、プリンタ１０の無線ＬＡＮＩ／Ｆ２０と携帯端末５０の無線ＬＡＮＩ／Ｆ６０との間のＷｉ−Ｆｉ接続が切断される。即ち、Ｓ８０では、ＣＰＵ７２は、携帯端末５０をＷＦＤＮＷから離脱させて、Ｗｉ−Ｆｉ接続を切断する。Ｓ８０が終了すると、図３の処理が終了する。
【００５６】
なお、上記のＳ８０では、ＣＰＵ７２は、Ｗｉ−Ｆｉ接続を切断するための切断信号をプリンタ１０に送信することなく、携帯端末５０をＷＦＤＮＷから離脱させる。これに代えて、変形例では、ＣＰＵ７２は、例えば、Ｗｉ−Ｆｉ接続を切断するための切断信号をプリンタ１０に送信して、Ｗｉ−Ｆｉ接続を切断することによって、携帯端末５０をＷＦＤＮＷから離脱させてもよい。
【００５７】
（具体例；図４）
図４を参照して、本実施例の具体例を説明する。図４の各処理は、図２及び図３のフローチャートによって実現される。なお、図４では、細線の矢印がＮＦＣ通信を示し、太線の矢印がＷｉ−Ｆｉ通信を示す。また、破線の矢印は、何らかのデータの通信を示すのではなく、Ｗｉ−Ｆｉ接続が切断されることを示す。
【００５８】
Ｔ１０では、プリンタ１０において、電源がＯＮされる。Ｔ１２では、プリンタ１０は、無線設定値ＷＳ１を生成する（図２の電源ＯＮ時の処理）。
【００５９】
Ｔ２０では、携帯端末５０において、印刷アプリが起動され、所定の操作が実行される（図３の処理のトリガ）。そして、携帯端末５０のユーザは、携帯端末５０をプリンタ１０に近づける。これにより、Ｔ３０では、プリンタ１０と携帯端末５０との間にＮＦＣ接続が確立される（図２のＳ１０でＹＥＳ、図３のＳ５０でＹＥＳ）。そして、Ｔ３２では、プリンタ１０から携帯端末５０に無線設定値ＷＳ１が送信される（図３のＳ５２）。
【００６０】
Ｔ４０では、プリンタ１０は、デバイス状態からＧ／Ｏ状態に移行して、プリンタ１０のみが所属しているＷＦＤＮＷを形成する（図２のＳ１２）。Ｔ４２では、携帯端末５０からプリンタ１０にProbe Req.信号が送信される（図２のＳ１４でＹＥＳ、図３のＳ５４）。Ｔ４４では、プリンタ１０と携帯端末５０との間にＷｉ−Ｆｉ接続が確立される（図２のＳ１６、図３のＳ５６）。
【００６１】
Ｔ５０では、携帯端末５０からプリンタ１０に画像データが送信される（図２のＳ１８、図３のＳ５８）。Ｔ５２では、プリンタ１０は、画像の印刷を実行する（図２のＳ２０）。Ｔ５４では、プリンタ１０から携帯端末５０に印刷完了通知が送信される（図２のＳ２２、図３のＳ７０でＹＥＳ）。
【００６２】
Ｔ６０では、携帯端末５０は、選択画面を表示する（図３のＳ７２）。そして、携帯端末５０は、当該選択画面での選択結果に応じて、切断条件が満たされるのか否かを判断する（図３のＳ７４）。携帯端末５０は、「切断」を示すボタンが選択される場合（図３のＳ７４でＮＯ）には、切断条件が満たされると判断して、ケースＡに進む。一方において、携帯端末５０は、「継続」を示すボタンが選択される場合（図３のＳ７４でＹＥＳ）には、切断条件が満たされないと判断して、ケースＢに進む。
【００６３】
ケースＡでは、Ｔ７０において、携帯端末５０は、ＷＦＤＮＷから離脱する（図２のＳ３２でＹＥＳ、図３のＳ８０）。これにより、Ｔ７２では、プリンタ１０と携帯端末５０との間のＷｉ−Ｆｉ接続が切断される。Ｔ７４では、プリンタ１０は、Ｇ／Ｏ状態からデバイス状態に移行する（図２のＳ４０）。そして、Ｔ７６では、プリンタ１０は、無線設定値ＷＳ２を新たに生成する（図２のＳ４２、Ｓ４４）。
【００６４】
ケースＢでは、Ｔ８０において、携帯端末５０からプリンタ１０に画像データが送信される（図２のＳ３０でＹＥＳ、図３のＳ５８）。Ｔ８２では、プリンタ１０は、画像の印刷を実行する（図２のＳ２０）。Ｔ８４では、プリンタ１０から携帯端末５０に印刷完了通知が送信される（図２のＳ２２、図３のＳ７０でＹＥＳ）。その後、Ｔ９０では、携帯端末５０は、選択画面を表示する（図３のＳ７２）。携帯端末５０は、当該選択画面での選択結果に応じて、切断条件が満たされるのか否かを再び判断する（図３のＳ７４）。そして、判断結果に応じて、上記のケースＡ又はケースＢが再び実行される。
【００６５】
（第１実施例の効果）
本実施例によると、携帯端末５０は、ＮＦＣＩ／Ｆ６２を介して、プリンタ１０から無線設定値ＷＳ１を受信し（図４のＴ３２）、次いで、無線設定値ＷＳ１を利用して、無線ＬＡＮＩ／Ｆ６０を介したＷｉ−Ｆｉ接続をプリンタ１０と確立する（Ｔ４２，Ｔ４４）。そして、携帯端末５０は、Ｗｉ−Ｆｉ接続を利用して、無線ＬＡＮＩ／Ｆ６０を介して、画像データをプリンタ１０に送信する（Ｔ５０）。携帯端末５０は、Ｔ５０の画像データが送信された後に、選択画面を表示する（Ｔ６０）。そして、携帯端末５０は、ユーザの選択結果に応じて、切断条件が満たされるのか否かを判断する。即ち、携帯端末５０は、選択結果が「切断」である場合に、切断条件が満たされると判断して、Ｗｉ−Ｆｉ接続を切断する（Ｔ７０，Ｔ７２）。これにより、携帯端末５０は、生存確認信号に対して応答信号を送信せずに済む。即ち、携帯端末５０の処理負荷を軽減させることができる。一方において、携帯端末５０は、選択結果が「継続」である場合に、切断条件が満たされないと判断して、Ｗｉ−Ｆｉ接続を維持し、当該Ｗｉ−Ｆｉ接続を利用して、無線ＬＡＮＩ／Ｆ６０を介して、画像データをプリンタ１０に送信する（Ｔ８０）。
【００６６】
上述したように、本実施例によると、携帯端末５０は、無線通信のためのＩ／ＦをＮＦＣＩ／Ｆ６２から無線ＬＡＮＩ／Ｆ６０に変更して、Ｔ５０の画像データを送信した後に、切断条件が満たされるか否かに応じて（即ちユーザの意図に応じて）、適切な処理を実行することができる。
【００６７】
（対応関係）
携帯端末５０が、「通信機器」の一例である。ＮＦＣＩ／Ｆ６２、無線ＬＡＮＩ／Ｆ６０が、それぞれ、「通信機器」の「第１の無線通信インターフェース」、「第２の無線通信インターフェース」の一例である。Ｗｉ−Ｆｉ接続が、「無線接続」の一例である。図４のＴ５０の画像データ、Ｔ８０の画像データが、それぞれ、「第１の画像データ」、「第２の画像データ」の一例である。印刷完了通知が、「所定の通知」の一例である。Ｔ６０の選択画面で「切断」が選択されることが、「機器側切断条件が満たされる」ことの一例である。
【００６８】
図３のＳ５２の処理、Ｓ５４（さらにはＳ５６）の処理、Ｓ５８の処理、Ｓ７０の処理、Ｓ７２の処理、Ｓ７４の処理、Ｓ８０の処理が、それぞれ、「通信機器」の「設定値通信部」、「確立部」、「画像データ送信部」、「通知受信部」、「表示制御部」、「判断部」、「切断部」によって実行される処理の一例である。
【００６９】
（第２実施例）
第１実施例とは異なる点を説明する。本実施例では、プリンタ１０のメモリ３４は、１個以上のユーザＩＤが記述されるユーザＩＤリストを格納する。ユーザＩＤは、携帯端末５０のユーザを識別するための識別情報であり、プリンタ用アプリが携帯端末５０にインストールされる際にユーザによってプリンタ用アプリに設定される。換言すると、ユーザＩＤは、携帯端末５０を識別するための識別情報であるとも言える。
【００７０】
プリンタ１０の管理者は、プリンタ１０の操作部１２を操作して、携帯端末５０に設定されているユーザＩＤをプリンタ１０（即ちユーザＩＤリスト）に登録することができる。例えば、携帯端末５０のユーザが、プリンタ１０を頻繁に利用するユーザ（以下では「永続的ユーザ」と呼ぶ）であれば、管理者は、ユーザＩＤをプリンタ１０に登録する。また、例えば、携帯端末５０のユーザが、プリンタ１０を一時的に利用するユーザ（以下では「一時的ユーザ」と呼ぶ）であれば、管理者は、ユーザＩＤをプリンタ１０に登録しない。これにより、詳しくは後述するが、永続的ユーザがプリンタ１０に印刷を実行させる場合には、プリンタ１０は、印刷の終了後に主体的にＷｉ−Ｆｉ接続を切断しない（即ち、後述の図５のＳ２１でＹＥＳを経てＳ２２Ａが実行される）。この結果、永続的ユーザは、当該Ｗｉ−Ｆｉ接続を利用して、複数回に亘ってプリンタ１０に印刷を実行させることができる。一方において、一時的ユーザがプリンタ１０に印刷を実行させる場合には、プリンタ１０は、印刷の終了後に主体的にＷｉ−Ｆｉ接続を切断する（即ち、後述のＳ２１でＮＯを経てＳ４０が実行される）。この結果、プリンタ１０の処理負荷を軽減させることができる。
【００７１】
（プリンタ１０のＣＰＵ３２が実行する処理；図５）
プリンタ１０のＣＰＵ３２は、図２の処理に代えて、図５の処理を実行する。図５において、電源ＯＮ時の処理とＳ１０〜Ｓ１６の処理とは、図２と同様である。Ｓ１８Ａは、図２のＳ１８とほぼ同様である。ただし、Ｓ１８Ａでは、ＣＰＵ３２は、画像データのみならず、携帯端末５０のプリンタ用アプリに設定されているユーザＩＤも受信する。Ｓ２０は、図２のＳ２０と同様である。
【００７２】
次いで、Ｓ２１では、ＣＰＵ３２は、Ｓ１８Ａで受信されたユーザＩＤが、メモリ３４内のユーザＩＤリストに登録済みであるのか否かを判断する。ＣＰＵ３２は、ユーザＩＤがユーザＩＤリストに登録済みであると判断する場合（Ｓ２１でＹＥＳ）には、Ｓ２２Ａにおいて、Ｗｉ−Ｆｉ接続を利用して、無線ＬＡＮＩ／Ｆ２０を介して、問合せ通知を携帯端末５０に送信して、Ｓ３０Ａに進む。問合せ通知は、携帯端末５０に選択画面を表示させて、「継続」及び「切断」をユーザに問い合わせるための通知である。Ｓ３０Ａは、図２のＳ３０とほぼ同様である。ただし、Ｓ３０ＡでＹＥＳの場合には、ＣＰＵ３２は、画像データのみならず、ユーザＩＤも受信する。Ｓ３２は、図２のＳ３２と同様である。
【００７３】
また、ＣＰＵ３２は、ユーザＩＤがユーザＩＤリストに登録済みでないと判断する場合（Ｓ２１でＮＯ）には、Ｓ２２Ａ〜Ｓ３２をスキップして、Ｓ４０に進む。Ｓ４０〜Ｓ４４は、図２のＳ４０〜Ｓ４４と同様である。なお、Ｓ２１でＮＯを経てＳ４０が実行される場合には、携帯端末５０がＷＦＤＮＷに参加している状態で、プリンタ１０のＣＰＵ３２は、ＷＦＤＮＷを消滅させる。即ち、プリンタ１０がＷｉ−Ｆｉ接続を切断することになる。この場合、携帯端末５０は、プリンタ１０から生存確認信号を受信しなくなるので、ＷＦＤＮＷが消滅したこと、即ち、Ｗｉ−Ｆｉ接続が切断されたことを知ることができる。一方において、Ｓ３２でＹＥＳを経てＳ４０が実行される場合には、携帯端末５０は、ＷＦＤＮＷから既に離脱している。即ち、携帯端末５０がＷｉ−Ｆｉ接続を切断することになる。このように、本実施例では、プリンタ１０が主体的にＷｉ−Ｆｉ接続を切断することもあり得るし（Ｓ２１でＮＯのケース）、携帯端末５０が主体的にＷｉ−Ｆｉ接続を切断することもあり得る（Ｓ２１でＹＥＳ、Ｓ３２でＹＥＳのケース）。
【００７４】
（携帯端末５０のＣＰＵ７２が実行する処理；図６）
携帯端末５０のＣＰＵ７２は、図３の処理に代えて、図６の処理を実行する。Ｓ５０〜Ｓ５６は、図３のＳ５０〜Ｓ５６と同様である。Ｓ５８Ａは、図３のＳ５８とほぼ同様である。ただし、Ｓ５８Ａでは、ＣＰＵ７２は、画像データのみならず、携帯端末５０のプリンタ用アプリに設定されているユーザＩＤも送信する（図５のＳ１８Ａ参照）。
【００７５】
Ｓ７０Ａでは、ＣＰＵ７２は、Ｗｉ−Ｆｉ接続を利用して、無線ＬＡＮＩ／Ｆ６０を介して、プリンタ１０から問合せ通知を受信することを監視する（図５のＳ２２Ａ参照）。ＣＰＵ７２は、プリンタ１０から問合せ通知を受信する場合には、Ｓ７０ＡでＹＥＳと判断して、Ｓ７２に進む。Ｓ７２〜Ｓ８０は、図３のＳ７２〜Ｓ８０と同様である。一方において、ＣＰＵ７２は、Ｓ５８Ａを終えてから所定時間が経過しても、プリンタ１０から問合せ通知（図５のＳ２１でＮＯ参照）を受信しない場合には、Ｓ７０ＡでＮＯと判断して、Ｓ７０Ｂに進む。Ｓ７０Ｂでは、ＣＰＵ７２は、ＷＦＤＮＷが消滅することを監視し、ＷＦＤＮＷが消滅しない場合（Ｓ７０ＢでＮＯ）、即ち、プリンタ１０から生存確認信号を受信する場合には、Ｓ７０Ａに戻る。一方において、ＣＰＵ７２は、ＷＦＤＮＷが消滅する場合（Ｓ７０ＢでＹＥＳ）、即ち、所定期間に亘ってプリンタ１０から生存確認信号を受信しない場合には、Ｓ７２〜Ｓ８０をスキップして図６の処理を終了する。
【００７６】
（具体例；図７）
続いて、図７を参照して、本実施例の具体例を説明する。図７の各処理は、図５及び図６のフローチャートによって実現される。Ｔ１０〜Ｔ５２は、図４のＴ１０〜Ｔ５２とほぼ同様である。ただし、Ｔ５０Ａでは、携帯端末５０からプリンタ１０に画像データとユーザＩＤとが送信される（図５のＳ１８Ａ、図６のＳ５８Ａ）。
【００７７】
Ｔ５２の印刷が完了すると、プリンタ１０は、Ｔ５０ＡのユーザＩＤがユーザＩＤリストに登録済みであるのか否かに応じて、切断条件が満たされるのか否かを判断する（図５のＳ２１）。プリンタ１０は、ユーザＩＤがユーザＩＤリストに未登録である場合（図５のＳ２１でＮＯ）には、切断条件が満たされると判断して、ケースＣに進む。一方において、プリンタ１０は、ユーザＩＤがユーザＩＤリストに登録済みである場合（図５のＳ２１でＹＥＳ）には、切断条件が満たされないと判断して、ケースＤに進む。
【００７８】
ケースＣでは、Ｔ１００において、プリンタ１０は、ＷＦＤＮＷを消滅させる（図５のＳ４０）。これにより、Ｔ１０２では、プリンタ１０と携帯端末５０との間のＷｉ−Ｆｉ接続が切断される。即ち、プリンタ１０が主体的にＷｉ−Ｆｉ接続を切断する。そして、Ｔ１０４では、プリンタ１０は、無線設定値ＷＳ２を新たに生成する（図５のＳ４２、Ｓ４４）。
【００７９】
ケースＤでは、Ｔ１１０において、プリンタ１０から携帯端末５０に問合せ通知が送信される（図５のＳ２２Ａ、図６のＳ７０ＡでＹＥＳ）。これにより、Ｔ１２０では、携帯端末５０は、選択画面を表示する（図６のＳ７２）。そして、携帯端末５０は、当該選択画面での選択結果に応じて、切断条件が満たされるのか否かを判断する（図６のＳ７４）。携帯端末５０は、「切断」を示すボタンが選択される場合（図６のＳ７４でＮＯ）には、切断条件が満たされると判断して、ケースＤ１に進む。一方において、携帯端末５０は、「継続」を示すボタンが選択される場合（図６のＳ７４でＹＥＳ）には、切断条件が満たされないと判断して、ケースＤ２に進む。
【００８０】
ケースＤ１のＴ１３０〜Ｔ１３６は、図４のケースＡのＴ７０〜Ｔ７６と同様である。即ち、ケースＤ１では、携帯端末５０が主体的にＷｉ−Ｆｉ接続を切断する。
【００８１】
ケースＤ２のＴ１４０〜Ｔ１５０は、図４のケースＢのＴ８０〜Ｔ９０とほぼ同様である。ただし、Ｔ１４０では、携帯端末５０からプリンタ１０に画像データとユーザＩＤとが送信される（図５のＳ３０ＡでＹＥＳ、図６のＳ５８Ａ）。Ｔ１４２の印刷が完了すると、プリンタ１０は、Ｔ１４０のユーザＩＤがユーザＩＤリストに登録済みであるのか否かに応じて、切断条件が満たされるのか否かを再び判断する（図５のＳ２１）。また、Ｔ１４４では、プリンタ１０から携帯端末５０に問合せ通知が送信される（図５のＳ２２Ａ、図６のＳ７０ＡでＹＥＳ）。携帯端末５０は、Ｔ１５０の選択画面での選択結果に応じて、切断条件が満たされるのか否かを再び判断する。そして、判断結果に応じて、上記のケースＤ１又はケースＤ２が再び実行される。
【００８２】
（第２実施例の効果）
第１実施例と同様に、携帯端末５０は、無線通信のためのＩ／ＦをＮＦＣＩ／Ｆ６２から無線ＬＡＮＩ／Ｆ６０に変更して、図７のＴ５０Ａの画像データを送信した後に、切断条件が満たされるか否かに応じて（即ちユーザの意図に応じて）、適切な処理を実行することができる（図７のケースＤ１及びＤ２参照）。
【００８３】
また、本実施例では、プリンタ１０は、ＮＦＣＩ／Ｆ２２を介して、無線設定値ＷＳ１を携帯端末５０に送信し（図７のＴ３２）、次いで、無線設定値ＷＳ１を利用して、無線ＬＡＮＩ／Ｆ２０を介したＷｉ−Ｆｉ接続を携帯端末５０と確立する（Ｔ４２，Ｔ４４）。そして、プリンタ１０は、Ｗｉ−Ｆｉ接続を利用して、無線ＬＡＮＩ／Ｆ２０を介して、携帯端末５０から画像データを受信する（Ｔ５０Ａ）。プリンタ１０は、Ｔ５０Ａの画像データを受信した後に、Ｔ５０ＡのユーザＩＤがユーザＩＤリストに登録済みであるのか否かを判断することによって、切断条件が満たされるのか否かを判断する。即ち、プリンタ１０は、ユーザＩＤがユーザＩＤリストに未登録である場合には、切断条件が満たされると判断して、Ｗｉ−Ｆｉ接続を切断する（Ｔ１００，Ｔ１０２）。これにより、プリンタ１０は、生存確認信号を携帯端末５０に送信せずに済む。即ち、プリンタ１０の処理負荷を軽減させることができる。一方において、プリンタ１０は、ユーザＩＤがユーザＩＤリストに登録済みである場合には、切断条件が満たされないと判断して、Ｗｉ−Ｆｉ接続を維持し、当該Ｗｉ−Ｆｉ接続を利用して、無線ＬＡＮＩ／Ｆ２０を介して、携帯端末５０から画像データを受信する（Ｔ１４０）。
【００８４】
上述したように、本実施例によると、プリンタ１０は、無線通信のためのＩ／ＦをＮＦＣＩ／Ｆ２２から無線ＬＡＮＩ／Ｆ２０に変更して、Ｔ５０Ａの画像データを受信した後に、切断条件が満たされるか否かに応じて（即ちユーザＩＤが登録済みであるのか否かに応じて）、適切な処理を実行することができる。
【００８５】
（対応関係）
ＮＦＣＩ／Ｆ２２、無線ＬＡＮＩ／Ｆ２０が、それぞれ、「プリンタ」の「第１の無線通信インターフェース」、「第２の無線通信インターフェース」の一例である。図７のＴ５０Ａの画像データ、Ｔ１４０の画像データが、それぞれ、「第１の画像データ」、「第２の画像データ」の一例である。問合せ通知が、「所定の通知」の一例である。ユーザＩＤがユーザＩＤリストに未登録であることが、「プリンタ側切断条件が満たされる」ことの一例である。
【００８６】
プリンタ１０の電源ＯＮ時又は図５のＳ４４において、無線設定値をＮＦＣＩ／Ｆ２２に供給すること（即ち、この結果として、当該無線設定値が携帯端末５０に送信されること）が、「プリンタ」の「設定値通信部」によって実行される処理の一例である。図５のＳ１８Ａ（さらにはＳ３０Ａ）の処理が、「プリンタ」の「画像データ受信部」及び「識別情報受信部」によって実行される処理の一例である。また、図５のＳ１４（さらにはＳ１６）の処理、Ｓ２０の処理、Ｓ２１の処理、Ｓ４０の処理が、それぞれ、「プリンタ」の「確立部」、「印刷制御部」、「判断部」、「切断部」によって実行される処理の一例である。
【００８７】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００８８】
（変形例１）第１及び第２実施例では、プリンタ１０が自発的にＧ／Ｏ状態に移行してＷＦＤＮＷを形成し（図２及び図５のＳ１２）、携帯端末５０がＣＬ機器としてＷＦＤＮＷに参加する（図３及び図６のＳ５４及びＳ５６）。これに代えて、以下の（変形例１−１）又は（変形例１−２）が採用されてもよい。
【００８９】
（変形例１−１）携帯端末５０は、プリンタ用アプリが起動される場合に、自発的にＧ／Ｏ状態に移行してＷＦＤＮＷを形成する。この際に、携帯端末５０は、ＷＦＤＮＷで利用されるべき無線設定値を生成する。そして、携帯端末５０は、プリンタ１０と携帯端末５０との間にＮＦＣ接続が確立される場合に、当該ＮＦＣ接続を利用して、当該無線設定値をプリンタ１０に送信する。この構成でも、プリンタ１０と携帯端末５０とは、当該無線設定値を利用して、Ｗｉ−Ｆｉ接続を確立することができる。即ち、プリンタ１０は、携帯端末５０がＧ／Ｏ機器として動作するＷＦＤＮＷに、ＣＬ機器として参加することができる。即ち、「通信機器」の「設定値通信部」は、無線設定値をプリンタに送信してもよいし、「通信機器」の「確立部」は、通信機器が親局である無線ネットワークにプリンタを子局として参加させるために、プリンタと無線接続を確立してもよい。また、「プリンタ」の「設定値通信部」は、通信機器から無線設定値を受信してもよいし、「プリンタ」の「確立部」は、通信機器が親局である無線ネットワークにプリンタを子局として参加させるために、通信機器と無線接続を確立してもよい。
【００９０】
上記の（変形例１−１）では、携帯端末５０は、切断条件が満たされると判断する場合に、ＷＦＤＮＷを消滅させることによって、Ｗｉ−Ｆｉ接続を切断してもよい。また、プリンタ１０は、切断条件が満たされると判断する場合に、ＷＦＤＮＷからプリンタ１０を離脱させて、Ｗｉ−Ｆｉ接続を切断してもよい。即ち、「通信機器」の「切断部」は、機器側切断条件が満たされると判断される場合に、無線ネットワークを消滅させることによって、無線接続を切断してもよい。また、「プリンタ」の「切断部」は、プリンタ側切断条件が満たされると判断される場合に、無線ネットワークからプリンタを離脱させて、無線接続を切断してもよい。
【００９１】
（変形例１−２）プリンタ１０と携帯端末５０とは、ＷＦＤ方式のＧ／Ｏネゴシエーションを実行してもよい。この場合、ネゴシエーションの結果として、プリンタ１０と携帯端末５０とのうちの一方がＧ／Ｏ機器になり、他方がＣＬ機器になる。例えば、プリンタ１０がＧ／Ｏ機器になる場合には、上記の第１及び第２実施例と同様に、プリンタ１０から携帯端末５０に無線設定値がＮＦＣ通信によって送信される。また、例えば、携帯端末５０がＧ／Ｏ機器になる場合には、上記の（変形例１−１）と同様に、携帯端末５０からプリンタ１０に無線設定値がＮＦＣ通信によって送信される。一般的に言うと、「通信機器」と「プリンタ」とのうちの一方が自発的に親局になることによって、無線ネットワークが形成されてもよいし、「通信機器」と「プリンタ」とがネゴシエーションを実行することによって、無線ネットワークが形成されてもよい。
【００９２】
（変形例２）第１及び第２実施例では、携帯端末５０は、選択画面を表示し（図３及び図６のＳ７２）、ユーザの選択結果に応じて、切断条件が満たされるのか否かを判断する（図３及び図６のＳ７４）。これに代えて、以下の（変形例２−１）又は（変形例２−２）が採用されてもよい。
【００９３】
（変形例２−１）携帯端末５０のメモリ７４には、「継続」又は「切断」を示す情報がユーザによって予め登録されてもよい。この場合、携帯端末５０は、選択画面を表示せずに、図３及び図６のＳ７４において、メモリ７４内の情報に応じて、切断条件が満たされるのか否かを判断してもよい。本変形例では、「切断」を示す情報がメモリ７４に登録されていることが、「機器側切断条件が満たされる」ことの一例である。
【００９４】
（変形例２−２）第２実施例において、プリンタ１０は、ユーザＩＤが登録済みであると判断する場合（図５のＳ２１でＹＥＳ）に、問合せ通知を携帯端末５０に送信せずに、「継続」を示す情報を携帯端末５０に送信し、ユーザＩＤが未登録であると判断する場合（図５のＳ２１でＮＯ）に、「切断」を示す情報を携帯端末５０に送信してもよい。この場合、携帯端末５０は、選択画面を表示せずに、図３及び図６のＳ７４において、プリンタ１０から受信される情報に応じて、切断条件が満たされるのか否かを判断してもよい。本変形例では、プリンタ１０から「切断」を示す情報を受信することが、「機器側切断条件が満たされる」ことの一例である。
【００９５】
上述したように、上記の（変形例２−１）及び（変形例２−２）では、選択画面が表示されない。従って、「通信機器」は、「表示制御部」を備えていなくてもよい。
【００９６】
（変形例３）第２実施例では、プリンタ１０は、ユーザＩＤがユーザＩＤリストに登録済みであるのか否かに応じて、切断条件が満たされるのか否かを判断する（図５のＳ２１）。これに代えて、以下の（変形例３−１）又は（変形例３−２）が採用されてもよい。
【００９７】
（変形例３−１）プリンタ１０のメモリ３４には、ユーザＩＤリストではなく、「継続」又は「切断」を示す情報がユーザによって予め登録されてもよい。この場合、プリンタ１０は、図５のＳ２１において、メモリ３４内の情報に応じて、切断条件が満たされるのか否かを判断してもよい。本変形例では、「切断」を示す情報がメモリ３４に登録されていることが、「プリンタ側切断条件が満たされる」ことの一例である。
【００９８】
（変形例３−２）プリンタ１０は、図５のＳ２１において、メモリ３４内の空き容量が所定値未満である場合に、切断条件が満たされると判断し、メモリ３４内の空き容量が所定値以上である場合に、切断条件が満たされないと判断してもよい。この構成によると、プリンタ１０は、メモリ３４内の空き容量が所定値未満である場合に、Ｇ／Ｏ状態からデバイス状態に移行するので（即ちＷｉ−Ｆｉ接続を切断するので）、メモリ３４内の空き容量を増やし得る。本変形例では、メモリ３４内の空き容量が所定値未満であることが、「プリンタ側切断条件が満たされる」ことの一例である。
【００９９】
（変形例４）第１及び第２実施例では、携帯端末５０は、画像データをプリンタ１０に送信する毎に、図３及び図６のＳ７４の判断を実行する。これに代えて、携帯端末５０は、１回目の画像データをプリンタ１０に送信した後に、切断条件が満たされないと判断する場合（Ｓ７４でＮＯ）に、２回目以降の画像データをプリンタ１０に送信した後に、Ｓ７４の判断を実行せずに、Ｗｉ−Ｆｉ接続を維持し続けてもよい。即ち、「通信機器」の「判断部」は、第２の画像データが送信された後に、機器側切断条件が満たされるのか否かを再び判断しなくてもよい。
【０１００】
（変形例５）第２実施例では、プリンタ１０は、携帯端末５０から画像データを受信する毎に、図５のＳ２１の判断を実行する。これに代えて、プリンタ１０は、携帯端末５０から１回目の画像データを受信した後に、切断条件が満たされないと判断する場合（Ｓ２１でＹＥＳ）に、携帯端末５０から２回目以降の画像データを受信した後に、Ｓ２１の判断を実行せずに、携帯端末５０がＷＦＤＮＷから離脱するまで、Ｗｉ−Ｆｉ接続を維持し続けてもよい。即ち、「プリンタ」の「判断部」は、第２の画像データが受信された後に、プリンタ側切断条件が満たされるのか否かを再び判断しなくてもよい。
【０１０１】
（変形例６）第１実施例では、プリンタ１０から携帯端末５０に印刷完了通知が送信されなくてもよい。この場合、図３において、携帯端末５０は、Ｓ５８を実行した後に、Ｓ７０を実行せずに、Ｓ７２を実行すればよい。即ち、「通信機器」は、「通知受信部」を備えていなくてもよい。
【０１０２】
（変形例７）第２実施例の図５では、プリンタ１０は、印刷が完了した後（即ちＳ２０の終了後）に、Ｓ２１の判断を実行する。これに代えて、プリンタ１０は、印刷が完了する前に、Ｓ２１の判断を実行してもよい。即ち、「プリンタ」の「判断部」は、第１の画像の印刷が完了する前に、プリンタ側切断条件が満たされるのか否かを判断してもよい。
【０１０３】
（変形例８）図２及び図５のＳ１２では、プリンタ１０は、ＷＦＤ規格のＧ／Ｏ状態に移行することによって、無線ネットワークを形成する。これに代えて、プリンタ１０は、いわゆるＳｏｆｔＡＰを起動することによって、プリンタ１０がＡＰとして動作する無線ネットワークを形成してもよい。本変形例では、ＳｏｆｔＡＰによって実現されるＡＰが、「親局」の一例である。
【０１０４】
（変形例９）「第１の無線通信インターフェース」は、ＮＦＣ通信を実行するためのＩ／Ｆに限られず、例えば、ＢｌｕｅＴｏｏｔｈ（登録商標）通信、トランスファージェット通信、赤外線通信等を実行するためのＩ／Ｆであってもよい。また、「第２の無線インターフェース」は、Ｗｉ−Ｆｉ通信を実行するためのＩ／Ｆに限られず、例えば、ＢｌｕｅＴｏｏｔｈ（登録商標）通信を実行するためのＩ／Ｆであってもよい。
【０１０５】
（変形例１０）「通信機器」は、携帯端末５０に限られず、プリンタ、スキャナ、コピー機、多機能機、ＰＣ、サーバ等であってもよい。また、「プリンタ」は、印刷機能のみならず、スキャン機能、ＦＡＸ機能、電話機能等をさらに備えていてもよい。
【０１０６】
（変形例１１）第１及び第２実施例では、プリンタ１０のＣＰＵ３２又は携帯端末５０のＣＰＵ７２がプログラム（即ちソフトウェア）を実行することによって、図２〜図７の各処理が実現される。これに代えて、図２〜図７の各処理のうちの少なくとも１つの処理は、論理回路等のハードウェアによって実現されてもよい。
【０１０７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１０８】
２：通信システム、１０：プリンタ、１２：操作部、１４：表示部、１６：印刷実行部、２０：無線ＬＡＮＩ／Ｆ、２２：ＮＦＣＩ／Ｆ、３０：制御部、３２：ＣＰＵ、３４：メモリ、５０：携帯端末、５２：操作部、５４：表示部、６０：無線ＬＡＮＩ／Ｆ、６２：ＮＦＣＩ／Ｆ、７０：制御部、７２：ＣＰＵ、７４：メモリ
【図１】
2015130637.tif 000003
【図２】
2015130637.tif 000004
【図３】
2015130637.tif 000005
【図４】
2015130637.tif 000006
【図５】
2015130637.tif 000007
【図６】
2015130637.tif 000008
【図７】
2015130637.tif 000009